【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
近位端及び縦方向の軸を有するシームレスフレームであって、前記軸を囲むそして前記近位端から遠位に離れたシームレス支持部材を有しており、前記支持部材がその支持部材からつなぎ目がなく伸びるそして前記近位端で終わる少なくとも１本の取り付け支柱を有する物であるシームレスフレーム、及び前記シームレス支持部材と連携する開放された近位端、及び前記開放された近位端から離れて遠位に伸びるそしてフィルター媒体の端を定める閉鎖端を有するフィルター媒体とを含んでなるフィルター。
【請求項２】
支持部材から遠位につなぎ目がなく伸びるそして前記支持部材から遠位に離れた中間点（mid-point）を有する少なくとも１本のフィルター支柱であって、前記フィルター媒体をかみ合わせ支持する前記少なくとも１本のフィルター支柱を更に含む請求項１に記載のフィルター。
【請求項３】
前記少なくとも１本の取り付け支柱は、前記支持部材から各々つなぎ目がなく伸びるそして前記近位端で終わる複数本の取り付け支柱を含む、請求項１に記載のフィルター。
【請求項４】
前記少なくとも１本のフィルター支柱は、前記支持部材から離れて遠位につなぎ目がなく伸びる複数本のフィルター支柱を含む、請求項２に記載のフィルター。
【請求項５】
前記支持部材から離れて遠位につなぎ目がなく伸びる複数本のフィルター支柱を更に含む、請求項１に記載のフィルター。
【請求項６】
少なくとも２本のフィルター支柱がある、請求項２に記載のフィルター。
【請求項７】
少なくとも３本のフィルター支柱がある、請求項２に記載のフィルター。
【請求項８】
４本から１２本のフィルター支柱がある、請求項２又は４に記載のフィルター。
【請求項９】
少なくとも６本のフィルター支柱がある、請求項２又は４に記載のフィルター。
【請求項１０】
６本から１８本のフィルター支柱がある、請求項２又は４に記載のフィルター。
【請求項１１】
前記少なくとも１本の取り付け支柱及び前記支持部材は、一つの巻き回しが前記支持部材を形成する、多数の巻き回しを有するらせん状に構成されたフレームの異なったポーションから各々形成される、請求項１に記載のフィルター。
【請求項１２】
近位端、遠位端及びその間に伸びる縦方向の軸を有するシームレスフレームであって、前記軸を囲むそして前記近位及び遠位端との間に位置されたシームレス支持部材を有する物であるシームレスフレーム、前記近位端に向かって前記支持部材からつなぎ目がなく伸びる第一の支柱一式（set）、及び前記遠位端に向かって前記支持部材からつなぎ目がなく伸びる第二の支柱一式とを含んでなる管腔内デバイス。
【請求項１３】
前記第一の支柱一式及び第二の支柱一式の少なくとも１本の支柱は、Ｘ線不透過性マーカーを含む、請求項１２に記載のデバイス。
【請求項１４】
前記フィルター媒体は、複数のフィルター媒体層を含む、請求項１に記載のフィルター。
【請求項１５】
お互いが分離された二つのフィルター媒体層がある、請求項１４に記載のフィルター。
【請求項１６】
該フィルター媒体は薬剤を含む、請求項１に記載のフィルター。
【請求項１７】
前記層の少なくとも一つは薬剤を含む、請求項１４に記載のフィルター。
【請求項１８】
薬剤は該分離されたフィルター媒体層の間の空間に位置される、請求項１５に記載のフィルター。
【請求項１９】
前記複数のフィルター媒体層の各々は、異なった物理的又は化学的特性を有する、請求項１４に記載のフィルター。
【請求項２０】
近位端、及び近位接続端で終わる、近位するように且つつなぎ目がなく伸びる取り付け支柱を有するシームレス円形の支持部材とを有するシームレスフレーム、及び前記支持部材に取り付けられた近位端を有する生体適合性のある、両口のチューブ状部材とを含んでなる管腔内デバイス。
【請求項２１】
前記チューブ状部材は、吹き流しに似た対称的な先細の終端を有している、請求項２０に記載のデバイス。
【請求項２２】
前記チューブ状部材は管腔内移植片である、請求項２０に記載のデバイス。
【請求項２３】
前記フィルター媒体はソンブレロ形状である、請求項１に記載のフィルター。
【請求項２４】
前記フィルター媒体は円錐状形状である、請求項１に記載のフィルター。
【請求項２５】
前記支持部材及び前記少なくとも１本の取り付け支柱は、生体適合性のある素材から形成される、請求項１に記載のフィルター。
【請求項２６】
該生体適合性のある素材は自己−拡張する、請求項２５に記載のフィルター。
【請求項２７】
該生体適合性のある素材はポリマーである、請求項２５に記載のフィルター。
【請求項２８】
前駆素材の共通の平面シートから実質上平面状フィルターフレームパターンを切断により抜き出す工程；前記平面状パターンを立体状構造に構成する工程；及び前記立体状構造を熱的にアニールする工程を含んでなる、単一体、自己−拡張フィルターフレームの組み立て方法。
【請求項２９】
前記パターンは取り付け支柱及び支持支柱を含む、請求項２８に記載の方法。
【請求項３０】
前記パターンは取り付け支柱、支持支柱及びフィルター支持支柱を含む、請求項２８に記載の方法。
【請求項３１】
該前駆素材は形状記憶合金である、請求項２８に記載の方法。
【請求項３２】
該平面状フィルターフレームは、少なくとも一つの閉鎖セルであって、つなぎ目がない連続したリボン又は同じの前駆素材の支柱により定められた外周を有する領域を含む該少なくとも一つのセルを有している、請求項２８に記載の方法。
【請求項３３】
アニール前又は後にフィルター媒体を該フィルターフレームに取り付ける工程を更に含んでなる、請求項２８に記載の方法。
【請求項３４】
該フィルター媒体は薬剤を含む、請求項３３に記載の方法。
【請求項３５】
前記アニールフレームの一部は、フィルター媒体の二つの層又はその層の一部の間に位置付けされ、そして該層の組み合わせが一緒に積層されている、請求項２８に記載の方法。
【請求項３６】
立体状フィルターフレームを提供する工程；該立体状フレームを実質上平面で、平面状構造に変形させる工程；及び該フレーム上にフィルター媒体の少なくとも一つの層を接着する工程を含んでなる、立体状フィルターフレームに生体適合性のある、透過性のあるフィルター媒体の取り付け方法。
【請求項３７】
円錐状フィルター成分を提供する工程；立体状シームレスフィルターフレームを提供する工程；及び前記フィルター成分及びフレームを一緒に積層にする工程を含んでなる、フィルターの組み立て方法。
【請求項３８】
前記複数本の取り付け支柱は少なくとも一つの一体型接合セグメントを含む、請求項３に記載のフィルター。
【請求項３９】
前記少なくとも一つの一体型接合セグメントは幾何学的に変更された横断面取り付け支柱セクションを含む、請求項３８に記載のフィルター。
【請求項４０】
前記少なくとも一つの一体型接合セグメントはジグザグ形状又は起伏する構造を含む、請求項３８に記載のフィルター。
【請求項４１】
少なくとも１本のフィルター支柱はＸ線不透過性マーカーを含む、請求項２に記載のフィルター。
【請求項４２】
前記チューブ状の部材は対称的な先細の終端を有している、請求項２１に記載のデバイス。
【請求項４３】
前記フィルター媒体は対称的な円錐形状である、請求項１に記載のフィルター。
【請求項４４】
可塑性を有する変形可能な素材の共通平面シートから実質上平面状の可塑性を有する変形可能なフレームパターンを切断により抜き出す工程；前記平面状パターンを立体状構造に構成する工程；及び前記立体状構造を熱処理する工程を含んでなる、単一体フレームの組み立て方法。
【請求項４５】
形状記憶合金であって、自己−拡張素材の共通平面シートから実質上平面状のフレームパターンを切断により抜き出す工程；前記平面状パターンを立体状構造に構成する工程；及び前記立体状構造を熱的にアニールする工程を含んでなる、単一体、自己−拡張フレームの組み立て方法。
【請求項４６】
前記取り付け支柱は少なくとも一つの接合部位を有している、請求項２９に記載の方法。
【請求項４７】
前記フィルター支柱は、厚みを追加する事なくＸ線不透過性マーカーを組み込む為に適応される、請求項３０に記載の方法。
【請求項４８】
前記パターンは取り付け支柱及び／又は支持支柱を含む、請求項４４に記載の方法。
【請求項４９】
前記パターンは、取り付け支柱、及び／又は支持支柱及び／又はフィルター支持支柱を含む、請求項４４に記載の方法。
【請求項５０】
前記パターンは取り付け支柱及び／又は支持支柱を含む、請求項４５に記載の方法。
【請求項５１】
前記パターンは取り付け支柱及び／又は支持支柱及び／又はフィルター支持支柱を含む、請求項４５に記載の方法。
【請求項５２】
前記支柱のいずれも、厚みを追加する事なくＸ線不透過性マーカーを組み込む為に適応される、請求項４９に記載の方法。
【請求項５３】
前記支柱のいずれも、厚みを追加する事なくＸ線不透過性マーカーを組み込む為に適応される、請求項５１に記載の方法。
【請求項５４】
前記少なくとも１本の取り付け支柱は金属接合セグメントを含む、請求項３に記載のフィルター。
【請求項５５】
前記少なくとも１本の取り付け支柱は異なった接合セグメントを含む、請求項３に記載のフィルター。
【請求項５６】
前記少なくとも１本の取り付け支柱は、少なくとも一つのシームレス及び一体型接合セグメントを含む、請求項１に記載のフィルター。
【請求項５７】
前記少なくとも一つのシームレス及び一体型接合セグメントは、幾何学的に変更された横断面取り付け支柱セクションを含む、請求項５６に記載のフィルター。
【請求項５８】
前記少なくとも１本の取り付け支柱は、少なくとも一つのシームレス及び一体型の金属接合セグメントを含む、請求項１に記載のフィルター。
【請求項５９】
近位端及び縦方向の軸を有するシームレスフレームであって、前記軸を囲むそして前記近位端から遠位に離れたシームレス支持部材を有しており、前記支持部材がその支持部材からつなぎ目がなく伸びるそして前記近位端で終わる少なくとも１本の取り付け支柱を有する物であるシームレスフレーム、及び前記支持部材と連携する開放された近位端且つ閉鎖端を有する少なくとも一つのフィルター媒体とを含んでなるフィルター。
【請求項６０】
近位端、遠位端及びその間に伸びる縦方向の軸を有するシームレスフレームであって、前記軸を囲むそして前記近位及び遠位端との間に位置された少なくとも一つのシームレス支持部材を有する物であるシームレスフレーム、前記近位端に向かって前記支持部材からつなぎ目がなく伸びる第一の支柱一式の少なくとも１本、及び前記遠位端に向かって前記支持部材からつなぎ目がなく伸びる第二の支柱一式の少なくとも１本とを含んでなるデバイス。
【請求項６１】
複数のシームレス支持部材は前記軸を囲む、請求項６０に記載のデバイス。
【請求項６２】
前記第一及び第二の支柱一式での前記支柱及び前記少なくとも一つの支持部材との少なくとも一つは、一体型接合部材及びＸ線不透過性マーカーとの少なくとも一つを含む、請求項６０に記載のデバイス。
【請求項６３】
少なくとも一つのシームレス及び一体型接合セグメントを更に含む、請求項６０に記載のデバイス。
【請求項６４】
複数の囲む部材、及び少なくとも一つの一体型接合セグメントであって、前記部材とつなぎ目がなく相互に接続する接合セグメントの一つとを更に含む、請求項６２に記載のデバイス。
【請求項６５】
開放された近位且つ遠位端及び共通の前駆素材から形成された複数本のシームレス一体型支柱を有するシームレスフレームであって、前記支柱の少なくとも幾本は複数の閉鎖セルを定める為にお互いにつなぎ目がなく相互に接続されており、そして前記複数本のシームレス支柱の少なくとも１本は少なくとも一つの接合セグメント及び／又はＸ線不透過性マーカーを任意に有する物であるシームレスフレームを含んでなる管腔内デバイス。
【請求項６６】
前記フレームはチューブ状ステントである、請求項６５に記載のデバイス。
【請求項６７】
前記フレームは一体型接合セグメントを含む、請求項６５に記載のデバイス。
【請求項６８】
前記フレームはＸ線不透過性マーカーを含む、請求項６５に記載のデバイス。
【請求項６９】
前記フレームは一体型接合セグメント及びＸ線不透過性マーカーを含む、請求項６５に記載のデバイス。
【請求項７０】
前記遠位に伸びるフィルター支柱は、共通のシームレス遠位端で終わる、請求項５に記載のフィルター。
【請求項７１】
前記遠位に伸びるフィルター支柱は、共通のシームレス遠位端で終わる、請求項１２に記載のデバイス。
【手続補正２】
【補正対象書類名】明細書
【補正対象項目名】００３３
【補正方法】変更
【補正の内容】
【００３３】
図３Ａは、取り付け支柱３５５、取り付け支柱近位端３６５、図３Ｃの任意のフィルター媒体３６０を又支持してもよいフィルター支柱３８５、を有する代わりの平面状（平面図）フレームパターン３１５を、図解する。代わりの平面状（平面図）フレームパターン３１５は、支持支柱３５６を又含む。お互いにつなぎ目がなく結び付けられる支持支柱３５６及びフィルター支柱３８５は、ひし形の形状で構成されるセル３５７を連携して定める。支柱３５５、３５６及び３８５は、それらが同じ前駆素材から形成されるので、お互いにつなぎ目がなく結び付けられる。支柱３５６は、六つのセル３５７周りの境界線を定め、そして開放された、動作構造に於いて図３Ｃの立体状フィルターを保持する閉鎖支持部材３５６Ａを形成する。図３Ｂは、近位接続部材３７０に固定された取り付け支柱３５５の近位端３６５を有する、該平面状フィルターフレームパターンがアニールされる後に得られる立体状フレーム３７５を、図解する。図３Ｂの実施例に於いて、フィルター支柱３８５は、図３Ｃに示されたフィルター媒体を必要とせずに、デバイスがフィルターとして用いられる事を可能にする。図３Ｂのフィルターパターンが六つのフィルター支柱３８５を示す一方、フィルター支柱又は支持支柱の任意の数は、４、５、７、８、９、１０、１１、１２、その他を含むがこれに限られず、用いられ得る。併せて、図３Ａはひし形形状のセル／開口部３５７を有するフィルターフレーム３１５を描写するけれども、セル３５７は、開口部が血流及び／又は濾過を可能にする十分な大きさである限りは、任意の幾何学形状又は大きさであり得る。図３Ｃは、ガイドワイヤー３８０に取り付けられたフィルター媒体３６０を有する図３Ｂのアニールされたフィルターフレームパターンを、図解する。